(57)【要約】【課題】簡易な構成の装置で誤認証者の顔をログ化することによって、誤認証の抑制を図り、もってより適切な認証を行うことができるようにする。【解決手段】顔判定部１４１が、認証者の顔が写っているかを判定し、認証部１４２が、顔判定部１４１が、認証者の顔が写っていると判定したときのみ、入退室の認証を行い、ログ処理部１４３が、認証時におけるカメラ２００が写した画像をログ化する。簡易な構成の装置で誤認証者の顔をログ化することによって、誤認証の抑制を図り、もってより適切な認証を行うことができる。【選択図】図２
2017072969.tif 000002
【特許請求の範囲】
【請求項１】
カメラとともに用いるものであって、入退室の認証を行う入退室処理装置において、
認証者の顔が写っているかを判定する顔判定手段と、
前記顔判定手段が、前記認証者の顔が写っていると判定したときのみ、入退室の認証を行う認証手段と、
前記認証時における前記カメラが写した画像をログ化するログ化手段と、
を備えることを特徴とする入退室処理装置。
【請求項２】
前記認証者が前記カメラから一定の距離範囲内に入っていることを認識する範囲内認識手段と、
前記範囲内認識手段が、前記認証者が前記カメラから一定の距離範囲内に入っていることを認識したときに、前記顔判定手段が、前記認証者の顔が一定の範囲内の大きさときのみ、前記認証者の顔が写っていると判定することを特徴とする請求項１記載の入退室処理装置。
【請求項３】
前記範囲内認識手段が、人感センサであることを特徴とする請求項２記載の入退室処理装置。
【請求項４】
前記範囲内認識手段が、前記カメラの焦点距離が限定されることにより行われることを特徴とする請求項２記載の入退室処理装置。
【請求項５】
前記範囲内認識手段が、ライトの照射範囲が限定されることにより行われることを特徴とする請求項２記載の入退室処理装置。
【請求項６】
前記カメラが写す範囲の温度を感知する温感センサを備え、
前記顔判定手段が、
前記認証者の顔があると判定した部分について、前記温感センサが感知した温度が一定範囲の温度のときのみ、前記認証者の顔が写っていると判定することを特徴とする請求項１記載の入退室処理装置。
【請求項７】
前記ログ化手段が、前記認証時における前記カメラが写した画像をサーバへ送信してログ化することを特徴とする請求項１記載の入退室処理装置。
【請求項８】
前記認証手段が、コード画像を読み取ることによって入退室の認証を行うことを特徴とする請求項１記載の入退室処理装置。
【請求項９】
カメラとともに用いるものであって、入退室の認証を行う入退室処理方法において、
顔判定手段が、認証者の顔が写っているかを判定するステップと、
認証手段が、前記顔判定手段が、前記認証者の顔が写っていると判定したときのみ、入退室の認証を行うステップと、
ログ化手段が、前記認証時における前記カメラが写した画像をログ化するステップと、
を含むことを特徴とする入退室処理方法。
【請求項１０】
カメラとともに用いるものであって、入退室の認証を行う入退室処理プログラムにおいて、
コンピュータを、
認証者の顔が写っているかを判定する顔判定手段、
前記顔判定手段が、前記認証者の顔が写っていると判定したときのみ、入退室の認証を行う認証手段、および
前記認証時における前記カメラが写した画像をログ化するログ化手段、
として機能させることを特徴とする入退室処理プログラム。
【請求項１１】
カメラとともに用いるものであって、入退室の認証を行う入退室処理装置における入退室認証処理を制御する認証制御装置において、
認証者の顔が写っているかを判定する顔判定手段と、
前記顔判定手段が、前記認証者の顔が写っていると判定したときのみ、入退室の認証を行う認証手段と、
を備えることを特徴とする認証制御装置。
【発明の詳細な説明】
【技術分野】
【０００１】
本発明は、入退室処理装置、方法、プログラム、および認証制御装置に関し、特にカメラとともに用いるものであって、入退室の認証を行う入退室処理装置、方法、プログラム、および認証制御装置に関する。
【背景技術】
【０００２】
近年は、様々なデバイスにカメラが搭載されている。カメラが様々なデバイスに搭載されることによってカメラの活用方法も多岐にわたるようになってきている。たとえば、入退室管理において、制限区域との間にカメラが設置されていたり、インターフォンにカメラが搭載されていたり、認証装置にカメラが搭載されていたり、様々な態様がある。
【０００３】
さらに発展的なものとしては、認証装置に搭載されたカメラでカラーコードを読み取り認証を行う装置が提案されている（たとえば、特許文献１参照）。また、認証装置のカメラで認証対象者の顔を認識して、当該顔があらかじめ設定されている顔と一致しているかを判定し、認証を行う装置も提案されている（たとえば、特許文献２参照）。
【先行技術文献】
【特許文献】
【０００４】
【特許文献１】特開２００４−２３８９６５号公報
【特許文献２】特開２０１０−２１８０３９号公報
【発明の概要】
【発明が解決しようとする課題】
【０００５】
しかし、特許文献１記載の発明においては、カラーコードをコピーされると認証が適切な入退室認証ができず、かつコピーのコードを持った人物を特定するにあたって、認証装置に顔をそむけて認証を行ったときは、認証時の画像をログ化しておいても誤認証者の特定をすることができないという問題があった。
【０００６】
また、特許文献２記載の発明においては、顔認証を行うので顔を特定することが可能であり、誤認証を防ぐことができるものの、大がかりな認証装置が必要であって、どこでも設置できるというものではないという問題があった。
【０００７】
本発明はこのような点に鑑みてなされたものであり、簡易な構成の装置で誤認証者の顔をログ化することによって、誤認証の抑制を図り、もってより適切な認証を行うことができる入退室処理装置、方法、プログラム、および認証制御装置を提供することを目的とする。
【課題を解決するための手段】
【０００８】
本発明では上記問題を解決するために、カメラとともに用いるものであって、入退室の認証を行う入退室処理装置において、認証者の顔が写っているかを判定する顔判定手段と、前記顔判定手段が、前記認証者の顔が写っていると判定したときのみ、入退室の認証を行う認証手段と、前記認証時における前記カメラが写した画像をログ化するログ化手段とを備えることを特徴とする入退室処理装置が提供される。
【０００９】
これにより、顔判定手段が、認証者の顔が写っているかを判定し、認証手段が、前記顔判定手段が、前記認証者の顔が写っていると判定したときのみ、入退室の認証を行い、ログ化手段が、前記認証時における前記カメラが写した画像をログ化する。
【００１０】
また、カメラとともに用いるものであって、入退室の認証を行う入退室処理方法において、顔判定手段が、認証者の顔が写っているかを判定するステップと、認証手段が、前記顔判定手段が、前記認証者の顔が写っていると判定したときのみ、入退室の認証を行うステップと、ログ化手段が、前記認証時における前記カメラが写した画像をログ化するステップとを含むことを特徴とする入退室処理方法が提供される。
【００１１】
これにより、顔判定手段が、認証者の顔が写っているかを判定し、認証手段が、前記顔判定手段が、前記認証者の顔が写っていると判定したときのみ、入退室の認証を行い、ログ化手段が、前記認証時における前記カメラが写した画像をログ化する。
【００１２】
また、カメラとともに用いるものであって、入退室の認証を行う入退室処理プログラムにおいて、コンピュータを、認証者の顔が写っているかを判定する顔判定手段、前記顔判定手段が、前記認証者の顔が写っていると判定したときのみ、入退室の認証を行う認証手段、および前記認証時における前記カメラが写した画像をログ化するログ化手段として機能させることを特徴とする入退室処理プログラムが提供される。
【００１３】
これにより、顔判定手段が、認証者の顔が写っているかを判定し、認証手段が、前記顔判定手段が、前記認証者の顔が写っていると判定したときのみ、入退室の認証を行い、ログ化手段が、前記認証時における前記カメラが写した画像をログ化する。
【００１４】
また、カメラとともに用いるものであって、入退室の認証を行う入退室処理装置における入退室認証処理を制御する認証制御装置において、認証者の顔が写っているかを判定する顔判定手段と、前記顔判定手段が、前記認証者の顔が写っていると判定したときのみ、入退室の認証を行う認証手段とを備えることを特徴とする認証制御装置が提供される。
【００１５】
これにより、顔判定手段が、認証者の顔が写っているかを判定し、認証手段が、前記顔判定手段が、前記認証者の顔が写っていると判定したときのみ、入退室の認証を行う。
【発明の効果】
【００１６】
本発明の入退室処理装置、方法、プログラム、および認証制御装置によれば、顔判定手段が認証者の顔が写っていると判定したときのみ認証手段が入退室の認証を行い、ログ化手段が、認証時におけるカメラが写した画像をログ化するので、簡易な構成の装置で誤認証者の顔をログ化することによって、誤認証の抑制を図り、もってより適切な認証を行うことができる。
【図面の簡単な説明】
【００１７】
【図１】本実施の形態に適用される発明の概念図である。
【図２】本実施の形態に係る入退室処理部の内容を表すブロック図である。
【図３】本実施の形態に係る入退室処理装置の外観を示す図である。
【図４】入退室処理部による入退室処理の手順を示すフローチャートである。
【発明を実施するための形態】
【００１８】
以下、本発明の実施の形態を図面を参照して詳細に説明する。
図１は、本実施の形態に適用される発明の概念図である。
【００１９】
図１に示すように、入退室処理装置１００は、人感センサ１１０、照度センサ１２０、ライト１３０、および入退室処理部１４０を備えている。また、入退室処理装置１００は、カメラ２００、およびリーダ２１０と接続されている。
【００２０】
人感センサ１１０は、カメラ２００の近くに入室者が来たことを検知するセンサである。照度センサ１２０は、カメラ２００の撮像範囲の照度を検知するセンサである。
【００２１】
人感センサ１１０が、カメラ２００の近くに入室者が来たことを検知すると、照度センサ１２０が、カメラ２００の撮像範囲の照度を検知する。そして、照度センサ１２０が検知した照度に応じてライト１３０が発光する。
【００２２】
また、人感センサ１１０が、カメラ２００の近くに入室者が来たことを検知すると、カメラ２００を起動する。カメラ２００が撮像した画像は入退室処理部１４０に送られる。入退室処理部１４０は、カメラ２００が撮像した画像に入室者の顔が写っているときに入室者の入室を認めるか否かの処理、本実施の形態においては適切なコード画像が写っているかの判定を行う。たとえば、入室を認めたときに、接続されている解錠装置を起動すべく、鍵のかかったドアを解錠するための解錠信号を送信する。
【００２３】
リーダ２１０は、入室者が入室を求めるときに入室認証用の鍵を読み取るものである。たとえば、鍵がＲＦＩＤ（Radio Frequency IDentifier）タグのついたカード鍵である場合には、リーダ２１０は、ＲＦＩＤリーダということになる。
【００２４】
図２は、本実施の形態に係る入退室処理部の内容を表すブロック図である。
図２に示すように、入退室処理部１４０は、顔判定部１４１、認証部１４２、およびログ処理部１４３を備えている。
【００２５】
顔判定部１４１は、カメラ２００が撮像する画像に入室者の顔が写っているかを判定する。
認証部１４２は、顔判定部１４１が顔が写っていると判定したとき、リーダ２１０が読み取った認証信号が適切かを判断する。なお、リーダ２１０は、コード画像のみで入室認証を行うときは物理的な構成として単独のリーダというよりは、カメラ２００からの画像データを読み込む構成と読み替えるものとする。また、入室認証をコード画像で行う場合であっても、重畳的に物理的な構成として単独のリーダを備えることができ、リーダ２１０によってコード画像以外の方法による入室認証をしてもよい。
【００２６】
ログ処理部１４３は、認証部１４２が認証信号が適切であると判断したときは、認証時のカメラ２００が撮像した画像をログとして記録・保存する。
【００２７】
図３は、本実施の形態に係る入退室処理装置の外観を示す図である。
図３に示すように、入退室処理装置１００は、たとえばカメラ２００が一体に組み込まれている。カメラ２００の周りにはＬＥＤ（Light Emitting Diode）照明が４つで一組のライト１３０として組み込まれている。
【００２８】
このような入退室処理装置１００が、入室制限がかかっているエリアの入口に設置されたドアの横に設置されて用いられる。
【００２９】
なお、ライト１３０は、４つ全部が一度に光るようにしてもよいが、照度センサ１２０が検知した照度に応じて４つのうちの一部が光るようにしてもよい。また、たとえば全数→左上→右上→左下→右下→全数と順に照射するようにしてもよい。コード画像を印刷した紙やカードはカードケースに入れることがある。このとき、ライト１３０を４つ一度に照射するとカードケースに反射してコード画像が正確に読み取れないことがある。そこで、パターンを作って順にライト１３０を照射することによりカードケースなどに光が反射してコード画像を読み取れなくなることを防止し、コード画像を正確に読み取ることができるようになる。
【００３０】
さらに、ライト１３０は、白色が望ましい。コード画像としてカラーバーコードを用いた場合であって、かつ入退室処理装置１００が外廊下などに設置されているとき、たとえば、朝日や夕日の赤色が強いときなどは、カラーバーコードの色が正確に読み取れないことがある。そこで、ライト１３０を白色にすることにより、カラーバーコードの色が正確に読み取れることになる。
【００３１】
図４は、入退室処理部による入退室処理の手順を示すフローチャートである。以下、図４に示す処理をステップ番号に沿って説明する。
〔ステップＳ１１〕顔判定部１４１は、カメラ２００が撮像する画像に顔が写っているか否かの判定を行う。顔が写っていると判定したときは処理をステップＳ１２へ進め、顔が写っていないと判定したときは処理をステップＳ１１に戻す。
【００３２】
〔ステップＳ１２〕認証部１４２は、顔判定部１４１が顔が写っていると判定したときであって、かつリーダ２１０から認証信号を受け取ったときは、認証信号が適切であるかを判断する。認証信号が適切であると判断したときは、処理をステップＳ１３へ進め、認証信号が適切でないと判断したときは、処理をステップＳ１１へ戻す。
【００３３】
〔ステップＳ１３〕ログ処理部１４３は、認証部１４２が認証信号が適切であると判断したときは、カメラ２００が撮像した画像をログとして記録・保存して処理を終了する。
【００３４】
本発明の入退室処理装置１００によれば、顔判定部１４１が認証者の顔が写っていると判定したときのみ認証部１４２が入退室の認証を行い、ログ処理部１４３が、認証時におけるカメラ２００が写した画像をログ化するので、簡易な構成の装置で誤認証者の顔をログ化することによって、誤認証の抑制を図り、もってより適切な認証を行うことができる。つまり、あえて入室者の顔自体を鍵とする顔認証などの複雑な処理は行うことなく、認証者の顔が写っているかのみの判断を行うことによって、たとえ認証鍵を悪意で複製するなどして誤認証によって認証を回避したとしても、誤認証者の顔は必ずログとして記録する。この誤認証者の顔が必ずログ化されることにより、誤認証の抑制を図ることは大きなメリットとなる。
【００３５】
なお、上記の処理機能は、コンピュータによって実現することができる。その場合、入退室処理装置が有すべき機能の処理内容を記述した入退室処理プログラムが提供される。その入退室処理プログラムをコンピュータで実行することにより、上記処理機能がコンピュータ上で実現される。処理内容を記述した入退室処理プログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ＨＤＤ、ＦＤ、磁気テープなどがある。光ディスクには、ＤＶＤ（Digital Versatile Disc）、ＤＶＤ−ＲＡＭ、ＣＤ−ＲＯＭ、ＣＤ−Ｒ（Recordable）／ＲＷ（ReWritable）などがある。光磁気記録装置には、ＭＯ（Magneto Optical disk）などがある。
【００３６】
入退室処理プログラムを流通させる場合には、たとえば、その入退室処理プログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにその入退室処理プログラムを転送することもできる。
【００３７】
入退室処理プログラムを実行するコンピュータは、たとえば、可搬型記録媒体に記録された入退室処理プログラムもしくはサーバコンピュータから転送された入退室処理プログラムを、自己の記憶装置に格納する。そして、コンピュータは、自己の記憶装置から入退室処理プログラムを読み取り、入退室処理プログラムに従った処理を実行する。なお、コンピュータは、可搬型記録媒体から直接入退室処理プログラムを読み取り、その入退室処理プログラムに従った処理を実行することもできる。また、コンピュータは、サーバコンピュータから入退室処理プログラムが転送される毎に、逐次、受け取った入退室処理プログラムに従った処理を実行することもできる。
【００３８】
なお、本発明は、上述の実施の形態にのみ限定されるものではなく、本発明の要旨を逸脱しない範囲内において種々の変更を加えることができる。
【００３９】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【００４０】
なお、入退室処理装置１００は、入室者がカメラ２００から一定の距離範囲内に入っていなければ入退室処理を行えないようにしてもよい。入室者がカメラ２００から一定の距離範囲内に入っていれば必然的に入室者の顔の大きさが一定の大きさ範囲内に限定される。したがってこのとき、顔判定部１４１は、顔の大きさが一定の大きさ範囲内のときのみ顔が写っていると判定してもよい。これによると、たとえばスマートフォンなどの画面に顔を映し出して偽装することを防止することができる。
【００４１】
入室者がカメラ２００から一定の距離範囲内に入っているかについて具体的には、人感センサ１１０によって一定範囲内に近づかなければ入退室処理を行えないようにすることが考えられる。また、カメラ２００の焦点距離が限定されることによってなされてもよい。さらに、ライト１３０の照射範囲が限定されることによってなされてもよい。
【００４２】
また、入退室処理装置１００に、サーモセンサを搭載してもよい。このとき、顔判定部１４１は、顔があると判定した部分について、サーモセンサが感知した温度が一定範囲の温度のときのみ、入室者の顔が写っていると判定してもよい。これによると、大きさが一定範囲内であっても、お面などによって顔を偽装することを防止することができる。
【００４３】
また、ログ処理部１４３は、認証部１４２が認証信号が適切であると判断したときは、カメラ２００が撮像した画像をログとして記録・保存するが、これは入退室処理装置１００内に保存する場合に限られず、接続されたサーバなどへ送信して、サーバ内などに記録・保存する態様も考えられる。
【符号の説明】
【００４４】
１００  入退室処理装置
１１０  人感センサ
１２０  照度センサ
１３０  ライト
１４０  入退室処理部
１４１  顔判定部
１４２  認証部
１４３  ログ処理部
２００  カメラ
２１０  リーダ
【図１】
2017072969.tif 000003
【図２】
2017072969.tif 000004
【図３】
2017072969.tif 000005
【図４】
2017072969.tif 000006